(57)【特許請求の範囲】
【請求項１】
背凭れが、背枠と、この背枠の前面に張設された背当て材と、前記背枠に取り付けられたランバーサポートとを備えている椅子において、
前記背枠が、上下方向の中央よりもやや下方において、屈曲点が前方を向く側面視くの字状に折曲された左右１対の側枠を備えており、かつ前記ランバーサポートが、前記左右の側枠に、前記屈曲点近傍に位置するように取り付けられたランバーサポート取付部材と、左右の側部が、前記ランバーサポート取付部材に、その前面側であって、かつ前記背当て材の後面側に位置するようにして取り付けられたランバーサポート本体とを備えるものとし、さらに、前記ランバーサポート取付部材の一部を、左右の側枠における屈曲点より上方の部分に取り付け、かつ前記ランバーサポート取付部材の他部を、前記屈曲点より下方の部分に取り付けたことを特徴とする椅子。
【請求項２】
ランバーサポート取付部材が、左右の側枠における屈曲点より上方の部分に取り付けられた取付アームと、前記屈曲点より下方の部分に取り付けられた取付アームとを備えている請求項１記載の椅子。
【請求項３】
ランバーサポート取付部材が、左右の側枠の前面に設けた前方に開口する係合溝に係合する係止部を備えている請求項１または２記載の椅子。
【請求項４】
ランバーサポート取付部材を、左右の両側端部に係止部を備える左右に広幅の部材とした請求項３記載の椅子。
【請求項５】
ランバーサポート本体が、上下の縁部が、ランバーサポート取付部材における係止部より内方の部分に取り付けられ、かつ後方に空間を形成する可撓性と弾性を有するパッド材を備えている請求項１〜４のいずれかに記載の椅子。
【請求項６】
パッド材を軟質のものとした請求項５記載の椅子。
【発明の詳細な説明】
【技術分野】
【０００１】
本発明は、ランバーサポートを備える椅子の背凭れ装置に係り、特に、ランバーサポート本体の構造に関する。
【背景技術】
【０００２】
椅子の背凭れにランバーサポートを取付けた背凭れ装置は、例えば特許文献１に記載されており、公知である。
【先行技術文献】
【特許文献】
【０００３】
【特許文献１】特開２００４−４９６５６号公報
【発明の概要】
【発明が解決しようとする課題】
【０００４】
上記特許文献１に記載されている背凭れ装置のランバーサポートは、背枠の中央部に上下位置調節可能として取付けたランバーサポート本体の前面に、単に所要厚さのクッション材を固定したのみであるため、ランバーサポート本体を硬質材（通常、硬質合成樹脂製とすることが多い）とすると、背や腰部をランバーサポートに押し当てた際におけるクッション材の弾性変形量は限られる。
【０００５】
そのため、背や腰部に、ランバーサポートより比較的大きな反力が加わり、快適さが損なわれる。
【０００６】
また、ランバーサポート本体及びクッション材の正面形は、ほぼ逆三角形をなしているため、背や腰部を広範囲に、かつ快適に支えることができない。
【０００７】
本発明は、上記問題点に鑑みてなされたもので、背や腰部を快適に支えうるランバーサポート本体を備える椅子の背凭れ装置を提供することを目的としている。
【課題を解決するための手段】
【０００８】
本発明によると、上記課題は、次のようにして解決される。
（１）背凭れが、背枠と、この背枠の前面に張設された背当て材と、前記背枠に取り付けられたランバーサポートとを備えている椅子において、前記背枠が、上下方向の中央よりもやや下方において、屈曲点が前方を向く側面視くの字状に折曲された左右１対の側枠を備えており、かつ前記ランバーサポートが、前記左右の側枠に、前記屈曲点近傍に位置するように取り付けられたランバーサポート取付部材と、左右の側部が、前記ランバーサポート取付部材に、その前面側であって、かつ前記背当て材の後面側に位置するようにして取り付けられたランバーサポート本体とを備えるものとし、さらに、前記ランバーサポート取付部材の一部を、左右の側枠における屈曲点より上方の部分に取り付け、かつ前記ランバーサポート取付部材の他部を、前記屈曲点より下方の部分に取り付ける。
【０００９】
（２）上記(１)項において、ランバーサポート取付部材が、左右の側枠における屈曲点より上方の部分に取り付けられた取付アームと、前記屈曲点より下方の部分に取り付けられた取付アームとを備えているものとする。
【００１０】
（３）上記(１)項または(２)項において、ランバーサポート取付部材が、左右の側枠の前面に設けた前方に開口する係合溝に係合する係止部を備えているものとする。
【００１１】
（４）上記(３)項において、ランバーサポート取付部材を、左右の両側端部に係止部を備える左右に広幅の部材とする。
【００１２】
（５）上記(１)〜(４)項のいずれかにおいて、ランバーサポート本体が、上下の縁部が、ランバーサポート取付部材における係止部より内方の部分に取り付けられ、かつ後方に空間を形成する可撓性と弾性を有するパッド材を備えているものとする。
【００１３】
（６）上記(５)項において、パッド材を軟質のものとする。
【発明の効果】
【００１４】
本発明によると、背や腰部を快適に支えうるランバーサポート本体を備える椅子の背凭れ装置を提供することができる。
【図面の簡単な説明】
【００１５】
【図１】本発明の背凭れ装置を備える椅子の正面図である。
【図２】同じく側面図である。
【図３】同じく、ランバーサポートの分解斜視図である。
【図４】図１のIＶ−IＶ線拡大横断端面図である。
【図５】同じく、Ｖ−Ｖ線拡大縦断端面図である。
【図６】同じく、ＶI−ＶI線拡大横断平面図である。
【図７】ランバーサポートのパッド材の正面図である。
【図８】同じく平面図である。
【図９】ランバーサポートの使用例を示す概略縦断側面図である。
【発明を実施するための形態】
【００１６】
以下、本発明の実施形態を、図面に基づいて説明する。
図１は、本発明の背凭れ装置を備える椅子の正面図、図２は、同じく側面図で、椅子(１)は、前端にキャスタ(２)が取付けられた放射方向を向く５本の脚杆(３)よりなる脚体(４)と、この脚体(４)の中央に立設され、ガススプリング（図示略）の伸縮により上下位置を調節しうる脚柱(５)と、その上端に後部が固着され、前部両側面に左右に延出する座支持アーム(6a)(6a)を有する支基(６)とを備えている。
【００１７】
支基(６)の前後方向の中央部には、左右方向を向く六角軸よりなる枢軸(７)が貫通しており、この枢軸(７)の両端には、背凭れ(８)を支持する左右１対の背凭れ支持杆(９)(９)における前方を向く下部前端部に形成された筒部(9a)(9a)が固嵌されている。
【００１８】
背凭れ(８)と背凭れ支持杆(９)とは、枢軸(７)を中心として一体的に、支基(６)に対して回動しうるようになっている。
【００１９】
左右の背凭れ支持杆(９)における枢軸(７)よりも若干後方には、短寸の起立アーム(10)(10)が上向きに突設され、各起立アーム(10)の上端には、座(11)の両側下部を支持する前後方向を向く１対の座受けフレーム(12)(12)の後端部が、左右方向を向く枢軸(13)により、それぞれ枢着されている。
【００２０】
左右の座受けフレーム(12)の前端部は、支基(６)における左右の座支持アーム(6a)により支持されている。
【００２１】
(14)(14)は、左右の背凭れ支持杆(９)に取付けられた肘掛けである。
背凭れ(８)は、正面視概ね方形枠状をなす合成樹脂製の背枠(15)の前面に、伸縮性又は可撓性を有するメッシュ部材や多孔性シート部材などよりなる背当て材(16)を張設したものよりなり、上下方向の中央よりもやや下方において屈曲点が前方を向く側面視くの字状に折曲されている。
【００２２】
背当て材(16)の後方において背枠(15)のやや下方寄りの折曲部付近には、ランバーサポート(17)が取付けられている。
【００２３】
図３〜図５に示すように、ランバーサポート(17)は、背枠(15)に取付けられるランバーサポート取付部材（以下、取付部材と略称する）(18)と、硬質合成樹脂よりなる左右１対のガイド部材(19)(19)と、ランバーサポート本体(20)とよりなっている。
【００２４】
取付部材(18)は、硬質合成樹脂により形成され、背枠(15)内のやや下方寄りの中央部に配置される正面視概ね方形の垂直板状をなす基板(18a)と、その四隅部より、背枠(15)における左右のほぼ垂直をなす側枠(15a)(15a)方向と、下方に向かって漸次内向きに傾斜する左右の傾斜側枠(15b)(15b)方向に延びる４本の取付アーム(18b)とからなり、外周縁に前方を向く縁片(18c)を連設することにより、厚さ方向の撓み剛性を高めている。
【００２５】
基板(18a)は、図５に示すように、前向き凸状に湾曲する円弧状断面をなし、その両側部前面には、左右２条よりなる１対の上下方向のガイドレール(21)(21)が、一体的に突設されている。両ガイドレール(21)の上下の端部には、ストッパ片(21a)(21a)が前向きに連設され、上下のストッパ片(21a)間のガイドレール(21)の前端は、前向き凸状に湾曲する円弧面とされている。
【００２６】
図６に示すように、各取付アーム(18b)（同一構造につき、右上部のもののみ図示する）の先端には、上下と後方に開口する係合溝(22)を有する平面視後向コ字状断面の係止部(23)が連設され、この係止部(23)の外面の前端部には、上下方向を向く係止突起(24)が外向きに突設されている（図３参照）。
【００２７】
背枠(15)における左右の側枠(15a)と傾斜側枠(15b)との内周縁部側の前面には、図６に示すように、後向きに凹入するとともに、前方に開口する上下方向の係合溝(25)が形成されている。
【００２８】
なお、傾斜側枠(15b)は、斜め上下方向に傾斜しているため、それに形成されている係合溝(25)、取付部材(18)の下部の係止部(23)及びその外面に突設されている係止突起(24)も、傾斜側枠(15b)と同方向に傾斜している。
【００２９】
背枠(15)における係合溝(25)が形成されている内周縁側の前面は、外周縁側の前面よりも後方に位置し、係合溝(25)よりも前方に突出する内側面(26)は、取付アーム(18b)を係合溝(25)に嵌合する際の案内面をなすとともに、取付アーム(18b)の外側方への移動を規制する規制面とされている。
【００３０】
上記内側面(26)における４本の各取付アーム(18b)の取付部には、それらの係止部(23)の外面に突設した係止突起(24)が係合可能な、内方に開口する係合孔(27)が、上下方向（下部のものは斜め上下方向）に向かって形成されている。この係合孔(27)は、図６に示すように、背枠(15)の前端部に形成された、背当て材(16)の外周縁を嵌合して係止するための外方に開口する係合溝(28)と連通するように形成されている。
【００３１】
このようにすると、係合溝(28)に外方より差し込んだドライバ等により、係合孔(27)に係合している係止突起(24)を内方に押圧し、それらの係合を外すことができる。
【００３２】
各取付アーム(18b)の係止部(23)における外側片(23a)と、側枠(15a)の内側片(15c)とを、それぞれ側枠(15a)の係合溝(25)と係止部(23)の係合溝(22)とに互いに嵌合させるとともに、係止部(23)の係止突起(24)を、側枠(15a)の係合孔(27)に係合させることにより、取付部材(18)は、背枠(15)に取付けられている。
【００３３】
この際、背当て材(16)を張設する前であれば、背枠(15)の前方から取付部材(18)を簡単に取付けることができるが、背枠(15)の後方において取付部材(18)全体を内向きに若干弾性変形させ、各取付アーム(18b)の係止部(23)を側枠(15a)と傾斜側枠(15b)の前方に位置させれば、背当て材(16)を張設した後でも取付けることができる。
【００３４】
取付部材(18)の取付後において、その上部の取付アーム(18b)の係止部(23)に突設された係止突起(24)と、それが係合される係合孔(27)は、上下方向を向き、下部の取付アーム(18b)の係止部(23)に突設された係止突起(24)とその係合孔(27)は、斜め上下方向を向いているため、取付部材(18)に上下方向の力が加わった際に異なる方向の分力が作用し、取付部材(18)が背枠(15)より外れにくくなる。
【００３５】
また、背枠(15)における係合溝(25)が形成されている内周縁側の前面は、外周縁側の前面よりも後方に位置し、係合溝(25)に嵌合した取付部材(18)の側端が外側方から見えないので、体裁がよくなる。
【００３６】
上述した左右のガイド部材(19)(19)は、上記取付部材(18)のガイドレール(21)とほぼ同じ曲率で湾曲する円弧状に形成することにより、左右のガイドレール(21)と対をなすガイドレールとしての機能を有し、その上下寸法は、取付部材(18)の基板(18a)の上下寸法よりも若干小さく、かつ左右寸法は、ガイドレール(21)の前面をほぼ覆いうる寸法とされている。
【００３７】
ガイド部材(19)の外側縁には、上下方向を向くガイド片(19a)が、後向きに突設されている（図３、図４参照）。
【００３８】
図５に示すように、ガイド部材(19)の上下の端部には、後向きに延出するとともに、後端がほぼ垂直面をなす取付部(19b)(19b)が形成されている。
【００３９】
取付部材(18)の基板(18a)の前面には、ガイド部材(19)取付け用の取付座(29)が、左右のガイドレール(21)の上下の端部と連続するように突設され、左右における上下の取付座(29)(29)の前端に、ガイド部材(19)の上下の取付部(19b)(19b)の後端を当接させ、取付部(19b)の通孔(30)に前方より挿入した止めねじ(31)を、取付座(29)のめねじ孔(32)に螺合することにより、左右のガイド部材(19)は、取付部材(18)の基板(18a)の前面に、ガイドレール(21)を覆うようにして取付けられている（図３、図５参照）。
【００４０】
この取付後において、ガイド部材(19)とガイドレール(21)との間には、前向き凸状に湾曲する上下方向を向く円弧状のガイド長孔(33)が形成され、このガイド長孔(33)の上下両端は、ガイドレール(21)に突設されている上下のストッパ片(21a)(21a)により閉じられている（図５参照）。
【００４１】
左右のガイド部材(19)の前面には、若干横長の複数の停止溝(34)が、上下方向に一定間隔おきに形成されている。
【００４２】
上述したランバーサポート本体(20)は、硬質合成樹脂製のベース部材(35)と、その前面に取付けられる若干軟質のパッド材(36)とよりなっている。
【００４３】
ベース部材(35)は、左右寸法が左右のガイド部材(19)の外側面間の離間寸法よりも若干大きい寸法のほぼ長方形をなす枠板状をなし、その左右両側面の中央部には、図３及び図４に示すように、斜め後ろ外方を向く取っ手(37)(37)が一体的に突設されている。
【００４４】
ベース部材(35)における上片(35a)と下片(35b)との左右両側部の対向面には、上下方向を向く１対の取付片(38)(38)が、後方に所要寸法突出するとともに、その突出部の外側面が左右のガイド部材(19)の内側面と近接するようにして、一体的に設けられている。
【００４５】
左右の取付片(38)の対向面の中央部同士は、それらと連続する左右方向を向く水平リブ(39)により連結されている。
【００４６】
左右の取付片(38)における外側面の前端中央部には、それぞれ外向きに突出する弾性舌片(40)(40)が、前後方向に弾性変形しうるように一体的に連設されている。この両弾性舌片(40)の後面には、上記左右のガイド部材(19)の前面に形成されている停止溝(34)に選択的に弾性係合しうる係合突部(41)(41)が、後向きに突設されている（図５参照）。
【００４７】
左右の取付片(38)における上記弾性舌片(40)よりも後方の外側面には、上下１対のガイド軸(42)(42)が、弾性舌片(40)の上方と下方に所要寸法離間するようにして、外向きに突設されている。
【００４８】
図５に示すように、左右の上下１対のガイド軸(42)(42)は、それぞれ、ガイド部材(19)とガイドレール(21)との対向面に形成されているガイド長孔(33)内に、上下に摺動可能に嵌合され、この嵌合時において、各ガイド軸(42)の側端が、ガイド部材(19)の側縁のガイド片(19a)に近接又は摺接するとともに、左右の弾性舌片(40)の係合突部(41)は、各ガイド部材(19)の前面に、弾性舌片(40)を僅かに前方に弾性変形させて圧接するようになっている。
【００４９】
これにより、ベース部材(35)は、取付部材(18)に、上下に移動可能かつ停止溝(34)により段階的に高さ調節可能として取付けられる。
【００５０】
なお、ガイド軸(42)をガイド長孔(33)に嵌合するには、ガイド部材(19)を取付部材(18)に固定する前に行う。すなわち、ガイド部材(19)を弾性舌片(40)と上下のガイド軸(42)との間に挟入し、この状態で、ガイド軸(42)の後面をガイドレール(21)の前面に当接させて、ガイド部材(19)の上下の端部を取付部材(18)に固定すれば、ガイド軸(42)は、必然的にガイド長孔(33)内に位置することとなる。
【００５１】
ベース部材(35)における上片(35a)と下片(35b)とには、パッド材(36)取付用の左右方向を向く複数の取付孔(43)が貫設されている。
【００５２】
上部の各取付孔(43)の内面上部には、下向きの係止段部(43a)が、また下部の各取付孔(43)の内面下部には、上向きの係止段部(43a)が、それぞれ形成されている（図５参照）。
【００５３】
上記パッド材(36)は、可撓性と弾性を有する半硬質材、例えば硬度８０〜９０（ショアＡスケール）の範囲のポリウレタン系エラストマーにより、後面と左右両側面が開口された中空状に形成されている。
【００５４】
図５に示すように、パッド材(36)の断面形状は、下部の後方を向く取付片(36a)の前後寸法が、上部の取付片(36b)よりも若干長寸をなすとともに、前面が下方に向かって漸次前方に突出する湾曲面をなす、ほぼかまぼこ状断面とされている。
【００５５】
また、パッド材(36)の上下両面は、正面視において、図７に示すように、下部の取付片(36a)の下面と上部の取付片(36b)の上面とを、左右両端から中央部に向かって互いに漸次接近するようにほぼ円弧状に湾曲することにより、中央部がくびれたほぼ鼓状の湾曲面としてある。下部の湾曲面の曲率は、上部のそれよりも小とされている。
【００５６】
さらに、パッド材(36)の前面は、図８に示すように、平面視において、左右両端から中央部に向かって漸次後方になだらかに湾曲するほぼ円弧状の湾曲面とされている。
【００５７】
図５及び図８に示すように、パッド材(36)における上下の取付片(36a)(36b)の後端には、先端にそれぞれ上方と下方を向く係合爪(44a)を有する複数の係合片(44)が、後向きに突設され、この上下の各係合片(44)を、上記ベース部材(35)における上片(35a)と下片(35b)とに形成された複数の取付孔(43)に嵌合し、その内部の係止段部(43a)に係合爪(44a)を係合させることにより、パッド材(36)は、ベース部材(35)の前面に取付られている。
【００５８】
このような構成よりなるランバーサポート(17)は、全ての部材を取付部材(18)の前面に組付けたのち、この取付部材(18)の上下左右の４本の取付アーム(18b)に形成されている係止部(23)と係止突起(24)を、上述した要領で、左右の側枠(15a)と傾斜側枠(15b)の係合溝(25)と係合孔(27)に係合させることにより、背枠(15)の下方寄りの中央部に取付けられる。
【００５９】
図９は、ランバーサポート(17)の使用例を略示するもので、(ａ)は、ランバーサポート本体(20)を下限までスライドさせた状態を、(ｂ)は、同じく上限までスライドさせた状態を、それぞれ示している。なお、実線(45)は、着座者の背中を示している。
【００６０】
ランバーサポート本体(20)の上下位置を調節するには、ベース部材(35)の左右の取っ手(37)を両手で把持して、上下方向に強く押動すればよい。
すると、ベース部材(35)における左右の上下１対のガイド軸(42)が、取付部材(18)の左右のガイドレール(21)と１対のガイド部材(19)との間のガイド長孔(33)に沿って上下方向に摺動し、かつ上下のガイド軸(42)間の弾性舌片(40)も、ガイド部材(19)の前面と摺接しながら上下方向に移動することにより、弾性舌片(40)に突設した係合突部(41)が、ガイド部材(19)の前面の上下複数の停止溝(34)のいずれかに突入して弾性係合する。
【００６１】
これにより、ベース部材(35)とパッド材(36)すなわちランバーサポート本体(20)は、任意の上下位置に停止保持され、着座者の腰部や背中(45)の一部を、それぞれの好みに応じて支持することができる。
【００６２】
ランバーサポート本体(20)は、その左右両側部が、ガイド部材(19)とガイドレール(21)との間のガイド長孔(33)に案内されて上下動し、かつ上下及び左右１対のガイド軸(42)と、上下のガイド軸(42)の間に位置する左右の弾性舌片(40)とにより、ガイド部材(19)を挟持しており、さらに、左右のガイド軸(42)の側端は、図４に示すように、ガイド部材(19)のガイド片(19a)に近接又は摺接しているため、ランバーサポート本体(20)は、左右方向へのがた付きが防止されて、取付部材(18)の前方を安定して上下動させることができる。
【００６３】
ランバーサポート本体(20)のパッド材(36)は、可撓性と弾性を有する半硬質のエラストマーにより中空状に形成されており、背中や腰部を押し当てた際に適度に弾性変形し、クッション性を有するため、背中や腰部を快適に支持することができる。しかも、パッド材(36)の断面形状は、下部の取付片(36a)の前後寸法が上部の取付片(36b)よりも長寸で、かつ前面が下方に向かって漸次前方に突出する湾曲面とされた、ほぼかまぼこ状をなしているため、図５に示すように、背中や腰部よりの荷重が、矢印のようにパッド材(36)の前面に斜め下向きに加わった際に、下方ほど撓み易くなり、２点鎖線のように、上部側が後方に凹むのに対し、下部側が前方に膨出する。これにより、着座者の腰椎部等が強く押圧され、その部分の支持力が大となるため、クッション材のないメッシュ状の背当て材(16)を張設した背凭れ(８)に対し、腰椎部等が効果的に支持される。
【００６４】
また、パッド材(36)の正面形状は、中央部がくびれた、ほぼ鼓状とされているため、背中や腰部を押し当てた際に、中央部が両側部よりも大きく弾性変形し、背中や腰部の中央部と左右両側部を広範囲に、かつ安定して支持することができる。しかも、下面の曲率を、上面よりも小さくしてあるため、パッド材(36)の下部側の変形抵抗が増し、背中や腰部の下部の支持力が大となる。
【００６５】
さらに、パッド材(36)の平面視における前面の形状は、後方になだらかに湾曲する円弧状の湾曲面としてあるため、背中や腰部のどの部分でも、パッド材(36)の前面により広く支持され、疲労感が緩和される。
【００６６】
上記実施形態においては、ガイドレールの一部をなすガイド部材(19)の前面に複数の停止溝(34)を、ランバーサポート本体(20)のベース部材(35)の後面の弾性舌片(40)に、停止溝(34)と弾性係合する係合突部(41)をそれぞれ設けているが、これとは反対に、ベース部材(35)の後面側に複数の停止溝を、かつガイド部材(19)側に係合突部をそれぞれ設けることもある。
【００６７】
また、ガイドレール(21)の前方への突出寸法を大とし、これに、上記と同様のガイド長孔(33)を直接形成するとともに、前面に複数の停止溝(34)を設ければ、ガイド部材(19)を省略することもできる。この際には、ランバーサポート本体(20)におけるベース部材(35)の１対の取付片(38)に、例えば左右方向を向く長寸の、又は短寸の左右２個のガイド軸等を挿通し、このガイド軸を、左右のガイドレールのガイド長孔に上下に摺動可能に嵌合すればよい。
【００６８】
背枠(15)に取付部材(18)の各取付アーム(18b)を取付けるに際し、取付けアーム(18b)の係止部(23)の外側面に突設した係止突起(23)を、背枠(15)に形成した係合孔(27)に係合させているが、これとは反対に、背枠(15)側に係止突起を設け、これに、係止部(23)の外側面に設けた係合孔を係合させるようにすることもできる。
【符号の説明】
【００６９】
(１)椅子
(２)キャスタ
(３)脚杆
(４)脚体
(５)脚柱
(６)支基
(6a)座支持アーム
(７)枢軸
(８)背凭れ
(９)背凭れ支持杆
(9a)筒部
(10)起立アーム
(11)座
(12)座受けフレーム
(13)枢軸
(14)肘掛け
(15)背枠
(15a)側枠
(15b)傾斜側枠
(15c)内側片
(16)背当て材
(17)ランバーサポート
(18)ランバーサポート取付部材
(18a)基板
(18b)取付アーム
(18c)縁片
(19)ガイド部材
(19a)ガイド片
(19b)取付部
(20)ランバーサポート本体
(21)ガイドレール
(21a)ストッパ片
(22)係合溝
(23)係止部
(23a)外側片
(24)係止突起
(25)係合溝
(26)内側面
(27)係合孔
(28)係合溝
(29)取付座
(30)通孔
(31)止めねじ
(32)めねじ孔
(33)ガイド長孔
(34)停止溝
(35)ベース部材
(35a)上片
(35b)下片
(36)パッド材
(36a)(36b)取付片
(37)取っ手
(38)取付片
(39)水平リブ
(40)弾性舌片
(41)係合突部
(42)ガイド軸
(43)取付孔
(43a)係止段部
(44)係合片
(44a)係合爪
(45)背中
【図１】
0005600151.tif 000002
【図２】
0005600151.tif 000003
【図３】
0005600151.tif 000004
【図４】
0005600151.tif 000005
【図５】
0005600151.tif 000006
【図６】
0005600151.tif 000007
【図７】
0005600151.tif 000008
【図８】
0005600151.tif 000009
【図９】
0005600151.tif 000010